(57)【要約】【課題】複数の非接触型ICカードを収容したまま、それらの使い分けを可能とする非接触型ICカード用ケースを提供。【解決手段】非接触型ICカード用ケース10は、全体として矩形の平面形状を有する導電体シート24と、導電体シート10のそれぞれの主面の側に形成され、非接触型ICカード26および28をそれぞれ保持するための２つの収納部18および20とを有する。これによって、たとえば一方の収納部18に収容された非接触型ICカード26を自動改札機のアンテナ部に接近させると、そのアンテナ部から発した電波は、導電体シート24の存在により他方の収納部20には到達しない。したがって、他方の収納部20に別な非接触型ICカード28を収納してあっても、一方の収納部18の非接触型ICカード26だけが利用装置によって適切に処理される。【選択図】図１
2008242552.tif 000002
【特許請求の範囲】
【請求項１】
全体として矩形の平面形状を有する導電体シートと、該導電体シートのそれぞれの主面の側に形成され、非接触型ICカードをそれぞれ保持するための第１および第２の保持部とを含むことを特徴とするカード収納体。
【請求項２】
請求項１に記載のカード収納体において、該収納体はさらに、第１および第２の収納部を、少なくとも部分的に形成する包囲体を含み、該包囲体は、非導電体材料で形成されていることを特徴とするカード収納体。
【請求項３】
請求項２に記載のカード収納体において、前記包囲体の第１の収納部に対応する部分には、第２の収納部に対応する部分とは明瞭に区別する表示が形成されていることを特徴とするカード収納体。
【発明の詳細な説明】
【技術分野】
【０００１】
本発明は、カード収納体、たとえば非接触型IC（集積回路）カードを収納するカード用ケースに関するものである。
【背景技術】
【０００２】
従来、たとえば公共交通機関に搭乗する場合、運賃の支払いに自動改札機や料金支払機で使用する非接触型ICカードがある。たとえば、Suica（商標）やpasmo（商標）などの複数の交通事業者で共通に使用可能な非接触型ICカードが複数種類、提供される。これらは、１枚の非接触型ICカードを有していれば、異なる事業者間で共通に使用できるので、改札機での乗降客の輻輳の防止など、様々な点で、有利である。
【発明の開示】
【発明が解決しようとする課題】
【０００３】
しかし、たとえばSuica（商標）とpasmo（商標）など、２枚の非接触型ICカードを同時に自動改札機のアンテナ部に近づける、すなわち入力位置に接触または接近させると、自動改札機は、適切な１枚のカードを特定することができず、エラーを表示する。これは、同じ事業者の提供する非接触型ICカードを複数枚、同時に使用しようとしても、発生する。しかし、実際には、複数枚の非接触型ICカードを、たとえば定期券入れに入れたまま、交通機関に応じて、また公用と私用とに分けて使い分けて使用したいことも、多い。
【０００４】
本発明はこのような従来技術の欠点を解消し、複数の非接触型ICカードを収容したまま、それらの使い分けを可能とする非接触型ICカード用ケースを提供することを目的とする。
【課題を解決するための手段】
【０００５】
本発明によるカード収納体は、全体として矩形の平面形状を有する導電体シートと、導電体シートのそれぞれの主面の側に形成され、非接触型ICカードをそれぞれ保持するための第１および第２の保持部とを含む。
【０００６】
好ましくは、カード収納体はさらに、第１および第２の収納部を、少なくとも部分的に形成する包囲体を含み、包囲体は、非導電体材料で形成されている。  さらに好ましくは、包囲体の第１の収納部に対応する部分には、第２の収納部に対応する部分とは明瞭に区別する表示が形成されている。
【発明の効果】
【０００７】
本発明によれば、カード収納体の一方の収納部に収容された非接触型ICカードを自動改札機などの利用装置の入力位置すなわちアンテナ部に接近させると、利用装置のアンテナ部から発した電波は、導電体シートの存在により他方の収納部には到達しない。したがって、他方の収納部に非接触型ICカードを収納してあっても、一方の収納部の非接触型ICカードだけが利用装置によって適切に処理される。
【発明を実施するための最良の形態】
【０００８】
次に添付図面を参照して本発明による非接触型ICカード用ケースの実施例を詳細に説明する。図１を参照すると、本発明の実施例による非接触型IC（集積回路）カード用ケース10は、全体がほぼ直方体の外観を呈する収納体として形成されている。収納体10は、全体が、導電性を有さない材質、たとえば動植物もしくは合成繊維の布、皮革、または天然もしくは合成樹脂などの絶縁材料で、図示の形態に構成されている。これらの材料は、光学的に透明であっても、不透明であってもよい。カード用ケース10は、たとえば財布、定期券入れ、名刺入れなどに有利に適用される。
【０００９】
収納体10は、全体として本体12および蓋部14で構成されている。本体12は、その中央に、本実施例では、全体として矩形の平板形状を有する間仕切り16を有し、これによって、その平板形状の両主面の側に２つの収納部18および20を画成している。換言すれば、本体12は、収納部18および20の外側を、少なくとも部分的に画成する32をなしている。
【００１０】
蓋部14は、図からわかるように、全体として矩形の平面形状を有し、本実施例では、その矩形の一辺22が本体12と一体構造をなしている。これによって、矢印Aの方向に蓋部14を回動させて、収納部16および18を閉じることができる。蓋部14は、必ずしも設ける必要はない。収納部16および18は、通常流通しているSuica（商標）やpasmo（商標）などの非接触型ICカードを収納可能な形状および大きさを有する。非接触型ICカードは一般に、54mm x 86mm程度の平面寸法で、0.5mm程度の厚さを有するので、それらを複数枚、収納できる寸法であれば、十分である。
【００１１】
間仕切り16には、図１に点線24で示すように、全体的に矩形の平面形状を有する導電体シートが含まれている。導電体シート24は、たとえばアルミニウムや銅などの金属材料が有利に適用される。または、合成樹脂シートの、少なくとも一方の主面に、これらの金属を蒸着させたものでのよい。このような導電体シート24によって、その両側に形成されている２つの収納部18および20を互いに電磁的に遮蔽している。両収納部18および20にはそれぞれ、たとえば矢印ＢおよびＣ（図１）で示すように非接触型ICカードなどのカード状物品26および28を収納することができる。
【００１２】
たとえば、Suica（商標）などの非接触型ICカードの場合、13.56MHzの短波帯やBluetooth（商標）など産業、科学、医学用機器の周波数帯域、2.40GHzから2.48GHzの電波を使用するものが多い。一般に、このような電磁波は、周波数が高いほど指向性が強く、ほとんど回折することがないのは周知である。したがって、導電体シート24は、ICカードの外形と同程度の平面形状の大きさで、そのような電磁波を十分に遮蔽することができる。
【００１３】
図１における一点鎖線矢印IIから見た断面を図２に示す。図２から分かるように、本実施例では、導電体すなわち金属シート24は、間仕切り16の絶縁材料、すなわち本体12の材料で囲繞されている。この囲繞は、導電体シート24をカード状物品26または28などからの物理的接触による損傷から保護するためであり、必ずしも囲繞する必要はない。導電体シート24は、全部または一部が露出していてもよい。囲繞はまた、本体12の材料によらなくてもよい。図２には、導電体シート24を分かりやすく表示するため、その厚さ方向の寸法がいくぶん、誇張されて記載されている。導電体シート24は、このように厚くなく、薄い箔状のもので十分である。
【００１４】
使用状態において、Suica（商標）やpasmo（商標）など、２枚の非接触型ICカード26および28をそれぞれ１枚、収納部18および20に収納することができる。勿論、非接触型ICカード以外のカード、たとえば磁気ストライプカードなどを同時に収納してもよい。しかし、非接触型ICカード26や28は、本実施例では、それぞれの収納部18および20に各１枚宛て、収納するのがよい。もちろん、収納部18および20のうちのいずれか一方に、ICカード26または28を１枚だけ収納しても、なんら差し支えない。
【００１５】
非接触型ICカード26や28を収納部18および20に各１枚宛て収納することにより、たとえば、一方の非接触型ICカード26、たとえば公費で使用するSuica（商標）を自動改札機（図示せず）で使用したいときは、その入力位置すなわちアンテナ部にその収納部18の側を向けてこれを接触ないし接近させる。自動改札機の入力位置から発した電波は、一方の非接触型ICカード26には適切に到達するが、導電体シート24の存在により他方の非接触型ICカード28には到達しない。したがって、一方の非接触型ICカード26だけが自動改札機によって適切に認識ないし処理される。
【００１６】
他方の非接触型ICカード28、たとえば私費で使用するクレジットカードまたはpasmo（商標）を使用したいときは、それを収納した収納部20の側を識別装置または自動改札機の入力位置すなわちアンテナ部に向けて接触または接近させる。自動改札機の入力位置から発した電波は、他方の非接触型ICカード28に適切に到達する。しかし、やはり導電体シート24の存在により、一方の非接触型ICカード26には、これを検知するに足りる電力レベルの電波が達しない。したがって、他方の非接触型ICカード28だけが識別装置または自動改札機によって適切に認識される。こうして、２枚の非接触型ICカード26および28の適切な使い分け使用が達成される。
【００１７】
このような使い分け使用は、使用者の意図の下に適切に行なわれる必要がある。その目的のため、本実施例では、使用者が２つの収納部18および20を迅速に認識する補助として、表示30が設けられている。表示30は、本実施例では可視表示である。可視表示30は、本実施例の場合、蓋部14を矢印Ａの方向に閉じると、一方の収納部18の側に対応する位置32aに来るように、蓋部14の表面に配設されている。本実施例では、可視表示30は、ハート型の記号であるが、これのみに限定されず、他の記号や、Ａ、Ｂなどの文字、たとえば線、Suica（商標）やpasmo（商標）などのカードを識別する文字やロゴであってもよい。表示30は、可視表示に加えて、またはこれに代わって、もちろん、包囲体32の外側に形成されたエンボス加工などの形状的表示であってもよい。後者はとくに、視覚障害者にとっても利用価値が高い。また、一方の収納部、たとえば18の側に対応する部分だけ、本体12または蓋部14の着色または形状を他の部分と変えてもよい。また、本体12を光学的に透明な材料で形成し、収納物26および28を区別して判別できるように構成してもよい。要は、両収納部18および20を互いに区別して、明瞭に認識できる表示であれば、十分である。
【００１８】
本発明は、上述の実施例の特定の形態に限定されない。たとえば、アルミニウムのフォイルやシード、板などの導電体シート24を単体で、複数枚の非接触型ICカードの間に介挿することによっても、それらの使い分け使用が可能である。また、許容されるなら、非接触型ICカードの一方の主面に導電体シートを貼付することによっても、複数枚の非接触型ICカードを使い分けて使用することができる。収納部18および24は、カード26および28をその内部に収容する形態であったが、もちろん個のような特定の形態にのみ限定されず、単にカード26または28を保持する爪などのカード用部材保持手段を有する保持部によっても、本発明の目的は達成される。本発明はもちろん、図示の実施例について説明した鉄道用非接触型ICカードのみに限定されるものではなく、クレジットカードやデビットカード、あるいは社員証や入門証などのなど個人識別（ID）カードなど、あらゆる非接触型ICカードに効果的に適用される。
【図面の簡単な説明】
【００１９】
【図１】本発明による非接触型ICカード用ケースの実施例を示す斜視図である。
【図２】図１における一点鎖線矢印IIから見た断面である。
【符号の説明】
【００２０】
10  非接触型ICカード用ケース
12  本体
14  蓋部
16  間仕切り
18、20  収納部
24  導電体シート
26、28  非接触型ICカード
【図１】
2008242552.tif 000003
【図２】
2008242552.tif 000004
【手続補正書】
【提出日】平成19年6月7日(2007.6.7)
【手続補正１】
【補正対象書類名】明細書
【補正対象項目名】０００９
【補正方法】変更
【補正の内容】
【０００９】
収納体10は、全体として本体12および蓋部14で構成されている。本体12は、その中央に、本実施例では、全体として矩形の平板形状を有する間仕切り16を有し、これによって、その平板形状の両主面の側に２つの収納部18および20を画成している。換言すれば、本体12は、収納部18および20の外側を、少なくとも部分的に画成する包囲体32をなしている。
【手続補正２】
【補正対象書類名】明細書
【補正対象項目名】００１８
【補正方法】変更
【補正の内容】
【００１８】
本発明は、上述の実施例の特定の形態に限定されない。たとえば、アルミニウムのフォイルやシート、板などの導電体シート24を単体で、複数枚の非接触型ICカードの間に介挿することによっても、それらの使い分け使用が可能である。また、許容されるなら、非接触型ICカードの一方の主面に導電体シートを貼付することによっても、複数枚の非接触型ICカードを使い分けて使用することができる。収納部18および24は、カード26および28をその内部に収容する形態であったが、もちろん個のような特定の形態にのみ限定されず、単にカード26または28を保持する爪などのカード用部材保持手段を有する保持部によっても、本発明の目的は達成される。本発明はもちろん、図示の実施例について説明した鉄道用非接触型ICカードのみに限定されるものではなく、クレジットカードやデビットカード、あるいは社員証や入門証などのなど個人識別（ID）カードなど、あらゆる非接触型ICカードに効果的に適用される。